(57)【要約】      （修正有）【課題】一定時間が経過した後、支持構造又は容器内表面に水分及び灰塵を累積することを回避し、容器内の清潔を保持することができる容器取り付け設置構造を提供する。【解決手段】容器取り付け設置構造は、薄板及び薄板上に取り付ける容器２とを含み、薄板内部に少なくとも1つ以上の間隔を置いて配列する吸引板３をそれぞれ設置し、容器底部又は開口部に吸引板と相互に吸引する異極性の被吸引板４を設置する。使用時、薄板上に設置する吸引板３及び容器底部又は開口部に設置する被吸引板４の相互の吸引を利用し、容器の底部を上に向け、容器開口部を下に向ける。【選択図】図４
0003154199.tif 000002
【実用新案登録請求の範囲】
【請求項１】
薄板及び薄板上に取り付ける容器と、を含み、薄板内部に少なくとも1つ以上の間隔を置いて配列する吸引板をそれぞれ設置し、容器底部又は開口部に吸引板と相互に吸引する異極性の被吸引板を設置することを特徴とする容器取り付け設置構造。
【請求項２】
前記吸引板又は被吸引板は、それぞれ異極性の２つの磁石又は磁石に吸引される材料から加工形成されることを特徴とする請求項１記載の容器取り付け設置構造。
【請求項３】
前記薄板は、プラスチック材料又は金属材料から形成されることを特徴とする請求項１記載の容器取り付け設置構造。
【請求項４】
前記薄板の断面は、水平板及び水平板と一体に成型される短垂直板から構成され、該水平板上に間隔を置いた収容溝をそれぞれ設置し、該収容溝と収容溝の間の薄板上に吸引板を設置することを特徴とする請求項１又は３に記載の容器取り付け設置構造。
【請求項５】
前記容器は、杯類、瓶類及び缶類の収容体であることができることを特徴とする請求項１記載の容器取り付け設置構造。
【請求項６】
前記容器は、薄板の上面と下面に設置することができることを特徴とする請求項１記載の容器取り付け設置構造。
【考案の詳細な説明】
【技術分野】
【０００１】
本考案は、容器取り付け設置構造に関する。
【背景技術】
【０００２】
従来の容器設置方式(容器収納スタンド)は、図１に示すように、何れも容器の口部が上に向き、容器底部が薄板上面に設置される。一定時間使用した後、この種の設置方式は、容器内部に大量の水分及び灰塵を累積し易く、占有使用空間が比較的大きく、薄板下面に容器を設置することができない。容器内部に水分及び灰塵が累積する問題を解決するため、その後、容器倒置方式が出現し、図１に示すように、該容器倒置方式は、支持構造５と、支持構造５底端に取り付ける薄板６と、支持構造５上端に取り付ける容器６と、を含み、前記の容器７内部は、支持構造５上端に掲揚する。該倒置方式は、容器７内部に大量の水分及び灰塵が累積することを回避することができるが、設置時間が長くなると、支持構造５上及び容器７内表面に依然として少量の水分及び灰塵を累積する。
【先行技術文献】
【特許文献】
【０００３】
【特許文献１】特開平０７−１０８０１３号公報
【考案の概要】
【考案が解決しようとする課題】
【０００４】
本考案の目的は、上記した従来技術の問題点を解決するために、一定時間が経過した後、支持構造又は内表面に水分及び灰塵を累積することを完全に回避し、容器内の清潔を保持する容器取り付け設置構造を提供することである。
【課題を解決するための手段】
【０００５】
前記課題を解決する為、請求項１の考案が提供する容器取り付け設置構造は、薄板及び薄板上に取り付ける容器と、を含み、薄板内部に少なくとも1つ以上の間隔を置いて配列する吸引板をそれぞれ設置し、容器底部又は開口部に吸引板と相互に吸引する異極性の被吸引板を設置する。
【０００６】
請求項２の考案は、請求項１記載の容器取り付け設置構造において、前記吸引板又は被吸引板は、それぞれ異極性の２つの磁石又は磁石に吸引される材料から加工形成されることを特徴とする。
【０００７】
請求項３の考案は、請求項１記載の容器取り付け設置構造において、前記薄板は、プラスチック材料又は金属材料から形成されることを特徴とする。
【０００８】
請求項４の考案は、請求項１又は３記載の容器取り付け設置構造において、前記薄板の断面は、水平板及び水平板と一体に成型される短垂直板から構成され、該水平板上に間隔を置いた収容溝をそれぞれ設置し、該収容溝と収容溝の間の薄板上に吸引板を設置することを特徴とする。
【０００９】
請求項５の考案は、請求項１記載の容器取り付け設置構造において、前記容器は、杯類、瓶類及び缶類の収容体であることができることを特徴とする。
【００１０】
請求項６の考案は、請求項１記載の容器取り付け設置構造において、前記容器は、薄板の上面と下面に設置することができることを特徴とする。
【考案の効果】
【００１１】
本考案の容器取り付け設置によれば、以下のような効果を奏する。
薄板上にそれぞれ少なくとも１つ以上の間隔を置いて配列する吸引板を設置し、容器底部又は開口部に吸引板と相互に吸引する異極性の被吸引板をそれぞれ設置し、使用時、薄板上に設置する吸引板及び容器底部又は開口部に設置する被吸引板の相互の吸引を利用し、容器の底部を上に向け、容器開口部を下に向けるので、灰塵及び水分の沈積を効率的に防止することができ、容器内の清潔を保持することができ、それにより、一定時間が経過した後、支持構造又は容器内表面に水分及び灰塵を累積することを回避し、容器内の清潔を保持することができる。
【図面の簡単な説明】
【００１２】
【図１】従来の容器取り付け設置の説明図である。
【図２】本考案の容器取り付け設置構造の説明図である。
【図３】図２中のＡ−Ａ向きの断面説明図である。
【図４】図３中のＢ−Ｂ向きの断面拡大説明図である。
【考案を実施するための形態】
【００１３】
本考案の目的、構造特徴及びその機能を分かり易くするため、本考案の実施例を図面に併せて以下に詳細に説明する。
【００１４】
図２〜図４に示すように、下面に実施例を組み合わせ、本考案が提供する容器取り付け設置構造を説明するが、それは、薄板１と、容器２と、吸引板３と、被吸引板４とから構成されている。
【００１５】
前記の薄板１は、ストリップ形の板状体であり、前記の薄板１の断面は、水平板１１及び水平板１１と一体に成型される短垂直板１２から構成され、該水平板１１上に間隔を置いて配列する収容溝１３をそれぞれ設置し、該収容溝１３と収容溝１３の間の薄板1上に吸引板３を設置する。
【００１６】
本実施例中、前記の容器２は、杯類、瓶類及び缶類の収容体(容器収納スタンド)であることができる。容器２の底部又は開口部に吸引板３と相互に吸引する異極性の被吸引板４(異極磁石又は鉄板等の吸着する(異極)磁性体)を設置する。前記の吸引板３と被吸引板４は、異極性の２つの磁石材料又は被磁石材料から加工してなる。前記の容器２は、薄板１の上面及び下面に設置することができる。
【００１７】
取り付け時、前記の容器２底部又は開口部内の被吸引板４と薄板１上に設置する吸引板３が相互に吸引するだけでよい。
【００１８】
本実施例中、取り付け設置構造は、容器２底部に１つの塊の磁石又は磁石と相互に吸引できる材料(鉄板等の磁性体)を取り付ければよく、１つの塊は、薄板１内に取り付け、磁石の吸引力を介して、容器２底部の磁石を薄板１下面に固定し、容器２開口部を下向きにし、容器２底部を上に向ける。又は、磁石の吸引力を介して、容器２開口部の磁石を薄板１下面に固定し、容器２開口部を上に向け、容器２底部を下に向ける。薄板１材料は、プラスチック又は金属材料を採用して構成することができる。
薄板１上に容器の位置内部にも１塊又は２塊の磁石（磁石も磁石と相互に吸引される材料で置き換えることができる）を有する。該種の取り付け方式は、薄板１上、下両面は、何れも物品を設置でき、開口部が下向きに置かれる時、灰塵と水分の沈積を効率的に防止でき、容器内の清潔を保持する。
【００１９】
上記のように、薄板１上に少なくとも１つ以上の間隔を置いて配列する吸引板３をそれぞれ設置し、容器２底部又は開口部に吸引板と相互に吸引する異極性の被吸引板４を設置し、使用時、薄板１上に設置する吸引板３及び容器２底部又は開口部に設置する被吸引板４の相互の吸引を利用し、容器２の底部を上に向け、容器２開口部を下に向け、灰塵及び水分の沈積を効率的に防止することができ、容器２内の清潔を保持することができ、それにより、一定時間が経過した後、支持構造又は容器内表面に水分及び灰塵を累積することを回避し、容器内の清潔を保持する。
なお、本考案の特徴を害するものでなければ、上記の実施例に限定されるものでないことは勿論である。
【符号の説明】
【００２０】
１  薄板
２  容器
３  吸引板
４  被吸引板
１１  水平板
１２  垂直板
１３  収容溝
【図１】
0003154199.tif 000003
【図２】
0003154199.tif 000004
【図３】
0003154199.tif 000005
【図４】
0003154199.tif 000006